【手続補正書】
【提出日】令和1年11月25日(2019.11.25)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
送信フレームの第１のコンテンツチャネル中の第１のリソースユニット（ＲＵ）に関連付けられたマルチユーザ多入力多出力（ＭＵ−ＭＩＭＯ）局の数を識別する第１のインジケータを識別することと、
前記送信フレームの前記第１のコンテンツチャネル中に、ワイヤレスローカルエリアネットワーク（ＷＬＡＮ）シグナリングフィールドの第１の共通部分を生成することと、ここにおいて、前記第１の共通部分は前記第１のインジケータを含む、
前記送信フレームの第２のコンテンツチャネル中の第２のＲＵに関連付けられたＭＵ−ＭＩＭＯ局の不在を識別する第２のインジケータを識別することと、
前記送信フレームの前記第２のコンテンツチャネル中に、前記ＷＬＡＮシグナリングフィールドの第２の共通部分を生成することと、ここにおいて、前記第２の共通部分は前記第２のインジケータを含む、
前記ＷＬＡＮシグナリングフィールドを含む前記送信フレームを送信することと、
を備える、方法。
【請求項２】
前記第１の共通部分は第１の共通ブロックフィールドを備え、前記第２の共通部分は前記ＷＬＡＮシグナリングフィールドの第２の共通ブロックフィールドを備える、請求項１に記載の方法。
【請求項３】
前記ＷＬＡＮシグナリングフィールドは高効率（ＨＥ）シグナリングＢ（ＨＥ−ＳＩＧ−Ｂ）フィールドを備える、請求項１に記載の方法。
【請求項４】
前記送信フレームについてのトーンプランを識別することと、
前記送信フレームについて複数のユーザに対して複数のＲＵを割り振ることと、
前記トーンプランのＲＵが割り振られていないと決定することと、
前記送信フレームについて、前記ＲＵが割り振られていないことを示す局識別情報を前記ＷＬＡＮシグナリングフィールドのユーザ固有部分中に生成することと、
をさらに備える、請求項１に記載の方法。
【請求項５】
前記ＲＵが割り振られていないことを示す、前記局識別情報のための予め定められたビットシーケンスを生成すること、
をさらに備える、請求項４に記載の方法。
【請求項６】
前記第１のインジケータの指示を伝達するために、前記ＷＬＡＮシグナリングフィールドの前記第１の共通部分中に第１のＲＵ割振りフィールドを生成することと、
前記第２のインジケータの指示を伝達するために、前記ＷＬＡＮシグナリングフィールドの前記第１の共通部分中に第２のＲＵ割振りフィールドを生成することと、
をさらに備える、請求項１に記載の方法。
【請求項７】
ワイヤレス通信のための方法であって、
複数のチャネルに関連付けられた送信フレームを受信することと、前記送信フレームはワイヤレスローカルエリアネットワーク（ＷＬＡＮ）シグナリングフィールドを含み、
前記複数のチャネルのうちの第１のチャネルについて前記ＷＬＡＮシグナリングフィールドに関連付けられた局の第１の数を識別することと、
前記複数のチャネルのうちの第２のチャネルについて前記ＷＬＡＮシグナリングフィールドに関連付けられた局の第２の数を識別することと、
局の前記識別された第１の数と局の前記識別された第２の数とに少なくとも部分的に基づいて、前記送信フレームのデータ部分がマルチユーザ多入力多出力（ＭＵ−ＭＩＭＯ）コンテンツを含んでいるかどうかを決定することと、
を備える、方法。
【請求項８】
局の前記第１の数と局の前記第２の数との組合せが１よりも大きいと決定することと、
前記送信フレームの前記データ部分がＭＵ−ＭＩＭＯコンテンツを含んでいると決定することと、
をさらに備える、請求項７に記載の方法。
【請求項９】
局の前記第１の数と局の前記第２の数との組合せが１に等しいと決定することと、
前記送信フレームの前記データ部分がシングルユーザ（ＳＵ）コンテンツを含んでいると決定することと、
をさらに備える、請求項７に記載の方法。
【請求項１０】
前記ＷＬＡＮシグナリングフィールドは高効率（ＨＥ）シグナリングＢ（ＨＥ−ＳＩＧ−Ｂ）フィールドを備える、請求項７に記載の方法。
【請求項１１】
前記送信フレームに関連付けられた第１のコンテンツチャネルを受信することと、前記第１のコンテンツチャネルは前記ＷＬＡＮシグナリングフィールドを含み、
前記ＷＬＡＮシグナリングフィールド中の指示に少なくとも部分的に基づいて、前記第１のコンテンツチャネルに関連付けられたユーザの第１の数と、前記送信フレームの第２のコンテンツチャネルに関連付けられたユーザの第２の数とを識別することと、
をさらに備える、請求項７に記載の方法。
【請求項１２】
ユーザの前記第１の数を識別するために、前記第１のチャネルについて前記ＷＬＡＮシグナリングフィールドの共通ブロックフィールドを復号することと、
ユーザの前記第２の数を識別するために、前記第２のチャネルについて前記ＷＬＡＮシグナリングフィールドの前記共通ブロックフィールドを復号することと、
をさらに備える、請求項１１に記載の方法。
【請求項１３】
ワイヤレス通信のための装置であって、
送信フレームの第１のコンテンツチャネル中の第１のリソースユニット（ＲＵ）に関連付けられたマルチユーザ多入力多出力（ＭＵ−ＭＩＭＯ）局の数を識別する第１のインジケータを識別するための手段と、
前記送信フレームの前記第１のコンテンツチャネル中に、ワイヤレスローカルエリアネットワーク（ＷＬＡＮ）シグナリングフィールドの第１の共通部分を生成するための手段と、ここにおいて、前記第１の共通部分は前記第１のインジケータを含む、
前記送信フレームの第２のコンテンツチャネル中の第２のＲＵに関連付けられたＭＵ−ＭＩＭＯ局の不在を識別する第２のインジケータを識別するための手段と、
前記送信フレームの前記第２のコンテンツチャネル中に、前記ＷＬＡＮシグナリングフィールドの第２の共通部分を生成するための手段と、ここにおいて、前記第２の共通部分は前記第２のインジケータを含む、
前記ＷＬＡＮシグナリングフィールドを含む前記送信フレームを送信するための手段と、
を備える、装置。
【請求項１４】
ワイヤレス通信のための装置であって、
複数のチャネルに関連付けられた送信フレームを受信するための手段と、前記送信フレームはワイヤレスローカルエリアネットワーク（ＷＬＡＮ）シグナリングフィールドを含み、
前記複数のチャネルのうちの第１のチャネルについて前記ＷＬＡＮシグナリングフィールドに関連付けられた局の第１の数を識別するための手段と、
前記複数のチャネルのうちの第２のチャネルについて前記ＷＬＡＮシグナリングフィールドに関連付けられた局の第２の数を識別するための手段と、
局の前記識別された第１の数と局の前記識別された第２の数とに少なくとも部分的に基づいて、前記送信フレームのデータ部分がマルチユーザ多入力多出力（ＭＵ−ＭＩＭＯ）コンテンツを含んでいるかどうかを決定するための手段と、
を備える、装置。
【請求項１５】
コンピュータによって実行されると、前記コンピュータに、請求項１乃至１２に記載の方法を行わせるコードを備える、コンピュータプログラム。
【手続補正２】
【補正対象書類名】明細書
【補正対象項目名】０２４５
【補正方法】変更
【補正の内容】
【０２４５】
[0267]本開示についての以上の説明は、当業者が本開示を作成または使用することができるように与えられた。本開示への様々な修正は当業者には容易に明らかとなり、本明細書で定義された一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
［Ｃ１］
ワイヤレス通信のための方法であって、
送信フレームの第１のコンテンツチャネル中の第１のリソースユニット（ＲＵ）に関連付けられたマルチユーザ多入力多出力（ＭＵ−ＭＩＭＯ）局の数を識別する第１のインジケータを識別することと、
前記送信フレームの前記第１のコンテンツチャネル中に、ワイヤレスローカルエリアネットワーク（ＷＬＡＮ）シグナリングフィールドの第１の共通部分を生成することと、ここにおいて、前記第１の共通部分は前記第１のインジケータを含む、
前記送信フレームの第２のコンテンツチャネル中の第２のＲＵに関連付けられたＭＵ−ＭＩＭＯ局の不在を識別する第２のインジケータを識別することと、
前記送信フレームの前記第２のコンテンツチャネル中に、前記ＷＬＡＮシグナリングフィールドの第２の共通部分を生成することと、ここにおいて、前記第２の共通部分は前記第２のインジケータを含む、
前記ＷＬＡＮシグナリングフィールドを含む前記送信フレームを送信することと、
を備える、方法。
［Ｃ２］
前記第１の共通部分は第１の共通ブロックフィールドを備え、前記第２の共通部分は前記ＷＬＡＮシグナリングフィールドの第２の共通ブロックフィールドを備える、Ｃ１に記載の方法。
［Ｃ３］
前記ＷＬＡＮシグナリングフィールドは高効率（ＨＥ）シグナリングＢ（ＨＥ−ＳＩＧ−Ｂ）フィールドを備える、Ｃ１に記載の方法。
［Ｃ４］
前記送信フレームについてのトーンプランを識別することと、
前記送信フレームについて複数のユーザに対して複数のＲＵを割り振ることと、
前記トーンプランのＲＵが割り振られていないと決定することと、
前記送信フレームについて、前記ＲＵが割り振られていないことを示す局識別情報を前記ＷＬＡＮシグナリングフィールドのユーザ固有部分中に生成することと、
をさらに備える、Ｃ１に記載の方法。
［Ｃ５］
前記ＲＵが割り振られていないことを示す、前記局識別情報のための予め定められたビットシーケンスを生成すること、
をさらに備える、Ｃ４に記載の方法。
［Ｃ６］
前記第１のインジケータの前記指示を伝達するために、前記ＷＬＡＮシグナリングフィールドの前記第１の共通部分中に第１のＲＵ割振りフィールドを生成することと、
前記第２のインジケータの前記指示を伝達するために、前記ＷＬＡＮシグナリングフィールドの前記第１の共通部分中に第２のＲＵ割振りフィールドを生成することと、
をさらに備える、Ｃ１に記載の方法。
［Ｃ７］
ワイヤレス通信のための方法であって、
複数のチャネルに関連付けられた送信フレームを受信することと、前記送信フレームはワイヤレスローカルエリアネットワーク（ＷＬＡＮ）シグナリングフィールドを含み、  前記複数のチャネルのうちの第１のチャネルについて前記ＷＬＡＮシグナリングフィールドに関連付けられた局の第１の数を識別することと、
前記複数のチャネルのうちの第２のチャネルについて前記ＷＬＡＮシグナリングフィールドに関連付けられた局の第２の数を識別することと、
局の前記識別された第１の数と局の前記識別された第２の数とに少なくとも部分的に基づいて、前記送信フレームのデータ部分がマルチユーザ多入力多出力（ＭＵ−ＭＩＭＯ）コンテンツを含んでいるかどうかを決定することと、
を備える、方法。
［Ｃ８］
局の前記第１の数と局の前記第２の数との組合せが１よりも大きいと決定することと、  前記送信フレームの前記データ部分がＭＵ−ＭＩＭＯコンテンツを含んでいると決定することと、
をさらに備える、Ｃ７に記載の方法。
［Ｃ９］
局の前記第１の数と局の前記第２の数との組合せが１に等しいと決定することと、
前記送信フレームの前記データ部分がシングルユーザ（ＳＵ）コンテンツを含んでいると決定することと、
をさらに備える、Ｃ７に記載の方法。
［Ｃ１０］
前記ＷＬＡＮシグナリングフィールドは高効率（ＨＥ）シグナリングＢ（ＨＥ−ＳＩＧ−Ｂ）フィールドを備える、Ｃ７に記載の方法。
［Ｃ１１］
前記送信フレームに関連付けられた第１のコンテンツチャネルを受信することと、前記第１のコンテンツチャネルは前記ＷＬＡＮシグナリングフィールドを含み、
前記ＷＬＡＮシグナリングフィールド中の指示に少なくとも部分的に基づいて、前記第１のコンテンツチャネルに関連付けられたユーザの第１の数と、前記送信フレームの第２のコンテンツチャネルに関連付けられたユーザの第２の数とを識別することと、
をさらに備える、Ｃ７に記載の方法。
［Ｃ１２］
ユーザの前記第１の数を識別するために、前記第１のチャネルについて前記ＷＬＡＮシグナリングフィールドの共通ブロックフィールドを復号することと、
ユーザの前記第２の数を識別するために、前記第２のチャネルについて前記ＷＬＡＮシグナリングフィールドの前記共通ブロックフィールドを復号することと、
をさらに備える、Ｃ１１に記載の方法。
［Ｃ１３］
前記共通ブロックフィールドはリソースユニット（ＲＵ）割振りフィールドを備える、  Ｃ１１に記載の方法。
［Ｃ１４］
ワイヤレス通信のための装置であって、
送信フレームの第１のコンテンツチャネル中の第１のリソースユニット（ＲＵ）に関連付けられたマルチユーザ多入力多出力（ＭＵ−ＭＩＭＯ）局の数を識別する第１のインジケータを識別するための手段と、
前記送信フレームの前記第１のコンテンツチャネル中に、ワイヤレスローカルエリアネットワーク（ＷＬＡＮ）シグナリングフィールドの第１の共通部分を生成するための手段と、ここにおいて、前記第１の共通部分は前記第１のインジケータを含む、
前記送信フレームの第２のコンテンツチャネル中の第２のＲＵに関連付けられたＭＵ−ＭＩＭＯ局の不在を識別する第２のインジケータを識別するための手段と、
前記送信フレームの前記第２のコンテンツチャネル中に、前記ＷＬＡＮシグナリングフィールドの第２の共通部分を生成するための手段と、ここにおいて、前記第２の共通部分は前記第２のインジケータを含む、
前記ＷＬＡＮシグナリングフィールドを含む前記送信フレームを送信するための手段と、
を備える、装置。
［Ｃ１５］
前記第１の共通部分は第１の共通ブロックフィールドを備え、前記第２の共通部分は前記ＷＬＡＮシグナリングフィールドの第２の共通ブロックフィールドを備える、Ｃ１４に記載の装置。
［Ｃ１６］
前記ＷＬＡＮシグナリングフィールドは高効率（ＨＥ）シグナリングＢ（ＨＥ−ＳＩＧ−Ｂ）フィールドを備える、Ｃ１４に記載の装置。
［Ｃ１７］
前記送信フレームについてのトーンプランを識別するための手段と、
前記送信フレームについて複数のユーザに対して複数のＲＵを割り振るための手段と、  前記トーンプランのＲＵが割り振られていないと決定するための手段と、
前記送信フレームについて、前記ＲＵが割り振られていないことを示す局識別情報を前記ＷＬＡＮシグナリングフィールドのユーザ固有部分中に生成するための手段と、
をさらに備える、Ｃ１４に記載の装置。
［Ｃ１８］
前記ＲＵが割り振られていないことを示す、前記局識別情報のための予め定められたビットシーケンスを生成するための手段、
をさらに備える、Ｃ１７に記載の装置。
［Ｃ１９］
前記第１のインジケータの前記指示を伝達するために、前記ＷＬＡＮシグナリングフィールドの前記第１の共通部分中に第１のＲＵ割振りフィールドを生成するための手段と、  前記第２のインジケータの前記指示を伝達するために、前記ＷＬＡＮシグナリングフィールドの前記第１の共通部分中に第２のＲＵ割振りフィールドを生成するための手段と、  をさらに備える、Ｃ１４に記載の装置。
［Ｃ２０］
ワイヤレス通信のための装置であって、
複数のチャネルに関連付けられた送信フレームを受信するための手段と、前記送信フレームはワイヤレスローカルエリアネットワーク（ＷＬＡＮ）シグナリングフィールドを含み、
前記複数のチャネルのうちの第１のチャネルについて前記ＷＬＡＮシグナリングフィールドに関連付けられた局の第１の数を識別するための手段と、
前記複数のチャネルのうちの第２のチャネルについて前記ＷＬＡＮシグナリングフィールドに関連付けられた局の第２の数を識別するための手段と、
局の前記識別された第１の数と局の前記識別された第２の数とに少なくとも部分的に基づいて、前記送信フレームのデータ部分がマルチユーザ多入力多出力（ＭＵ−ＭＩＭＯ）コンテンツを含んでいるかどうかを決定するための手段と、
を備える、装置。
［Ｃ２１］
局の前記第１の数と局の前記第２の数との組合せが１よりも大きいと決定するための手段と、
前記送信フレームの前記データ部分がＭＵ−ＭＩＭＯコンテンツを含んでいると決定するための手段と、
をさらに備える、Ｃ２０に記載の装置。
［Ｃ２２］
局の前記第１の数と局の前記第２の数との組合せが１に等しいと決定するための手段と、
前記送信フレームの前記データ部分がシングルユーザ（ＳＵ）コンテンツを含んでいると決定するための手段と、
をさらに備える、Ｃ２０に記載の装置。
［Ｃ２３］
前記ＷＬＡＮシグナリングフィールドは高効率（ＨＥ）シグナリングＢ（ＨＥ−ＳＩＧ−Ｂ）フィールドを備える、Ｃ２０に記載の装置。
［Ｃ２４］
前記送信フレームに関連付けられた第１のコンテンツチャネルを受信するための手段と、前記第１のコンテンツチャネルは前記ＷＬＡＮシグナリングフィールドを含み、
前記ＷＬＡＮシグナリングフィールド中の指示に少なくとも部分的に基づいて、前記第１のコンテンツチャネルに関連付けられたユーザの第１の数と、前記送信フレームの第２のコンテンツチャネルに関連付けられたユーザの第２の数とを識別するための手段と、  をさらに備える、Ｃ２０に記載の装置。
［Ｃ２５］
ユーザの前記第１の数を識別するために、前記第１のチャネルについて前記ＷＬＡＮシグナリングフィールドの共通ブロックフィールドを復号するための手段と、
ユーザの前記第２の数を識別するために、前記第２のチャネルについて前記ＷＬＡＮシグナリングフィールドの前記共通ブロックフィールドを復号するための手段と、
をさらに備える、Ｃ２４に記載の装置。
［Ｃ２６］
前記共通ブロックフィールドはリソースユニット（ＲＵ）割振りフィールドを備える、Ｃ２４に記載の装置。
［Ｃ２７］
ワイヤレス通信のための方法であって、
送信フレームに関連付けられた複数のチャネルのうちの第１のチャネルがパンクチャされたという指示を生成することと、前記送信フレームはワイヤレスローカルエリアネットワーク（ＷＬＡＮ）シグナリングフィールドを含み、
前記パンクチャされた第１のチャネルに対応する前記ＷＬＡＮシグナリングフィールドに関連付けられた情報を識別することと、
前記複数のチャネルのうちの第２のチャネル中で、前記ＷＬＡＮシグナリングフィールドに関連付けられた前記情報を送信することと、
前記第２のチャネル中でまたは前記送信フレームの第２のＷＬＡＮシグナリングフィールド中で、前記第１のチャネルがパンクチャされたという前記指示を送信することと、  を備える、方法。
［Ｃ２８］
前記送信フレームの前記第２のＷＬＡＮシグナリングフィールドは、前記送信フレームに関連付けられた帯域幅と前記複数のチャネル内の前記第２のチャネルのロケーションとの両方を示す帯域幅フィールドを備える、Ｃ２７に記載の方法。
［Ｃ２９］
前記ＷＬＡＮシグナリングフィールドは、前記第１のチャネルまたは前記第２のチャネルの高効率シグナリングＡ（ＨＥ−ＳＩＧ−Ａ）フィールドを備え、前記第２のＷＬＡＮシグナリングフィールドは、前記第２のチャネルの高効率シグナリングＢ（ＨＥ−ＳＩＧ−Ｂ）フィールドを備える、Ｃ２７に記載の方法。
［Ｃ３０］
前記パンクチャされた第１のチャネルに少なくとも部分的に基づいて、前記送信フレームについてのリソースユニット（ＲＵ）割振りビットシーケンスを選択することと、
前記パンクチャされた第１のチャネルに対応する前記ＷＬＡＮシグナリングフィールドに関連付けられた前記情報を伝達するために、前記ＲＵ割振りシーケンスを送信することと、
をさらに備える、Ｃ２７に記載の方法。
［Ｃ３１］
前記ＲＵ割振りシーケンスは、前記送信フレームの高効率（ＨＥ）シグナリングＢ（ＨＥ−ＳＩＧ−Ｂ）フィールド中で送信される、Ｃ３０に記載の方法。
［Ｃ３２］
前記第１のチャネルは前記送信フレームの２次２０ＭＨｚチャネルを備え、前記送信フレームは８０ＭＨｚ帯域幅を有する、Ｃ２７に記載の方法。
［Ｃ３３］
前記指示は、４に設定された帯域幅サブフィールドを備える、Ｃ３２に記載の方法。
［Ｃ３４］
前記第１のチャネルは、前記送信フレームの４０ＭＨｚ２次チャネルの２０ＭＨｚサブチャネルを備え、前記送信フレームは８０ＭＨｚ帯域幅を有する、Ｃ２７に記載の方法。
［Ｃ３５］
前記指示は、５に設定された帯域幅サブフィールドを備える、Ｃ３４に記載の方法。
［Ｃ３６］
前記第１のチャネルは前記送信フレームの８０ＭＨｚ１次チャネルの２０ＭＨｚサブチャネルを備え、前記送信フレームは１６０ＭＨｚの累積帯域幅を有する、Ｃ２７に記載の方法。
［Ｃ３７］
前記指示は、６に設定された帯域幅サブフィールドを備える、Ｃ３６に記載の方法。
［Ｃ３８］
前記ＷＬＡＮシグナリングフィールドは高効率（ＨＥ）シグナリングＡ（ＨＥ−ＳＩＧ−Ａ）フィールドを備え、前記指示は前記ＨＥ−ＳＩＧ−Ａフィールドの帯域幅サブフィールドに関連付けられる、Ｃ２７に記載の方法。
［Ｃ３９］
前記ＷＬＡＮシグナリングフィールドは高効率マルチユーザ（ＭＵ）物理レイヤコンバージェンスプロトコルデータユニット（ＰＰＤＵ）に関連付けられる、Ｃ２７に記載の方法。
［Ｃ４０］
前記送信フレームに関連付けられた帯域幅を識別することと、
前記帯域幅内の１つまたは複数のコンテンツチャネルについてのロケーションを識別することと、
前記帯域幅と、前記送信フレームの前記帯域幅内の前記１つまたは複数のコンテンツチャネルについての前記ロケーションとの両方を示す前記ＷＬＡＮシグナリングフィールドを含む前記送信フレームを送信することと、
をさらに備える、Ｃ２７に記載の方法。
［Ｃ４１］
ワイヤレス通信のための装置であって、
メモリと、
前記メモリと結合されたプロセッサと、
を備え、前記プロセッサは、
送信フレームに関連付けられた複数のチャネルのうちの第１のチャネルがパンクチャされたという指示を生成することと、前記送信フレームはワイヤレスローカルエリアネットワーク（ＷＬＡＮ）シグナリングフィールドを含み、
前記パンクチャされた第１のチャネルに対応する前記ＷＬＡＮシグナリングフィールドに関連付けられた情報を識別することと、
前記複数のチャネルのうちの第２のチャネル中で、前記ＷＬＡＮシグナリングフィールドに関連付けられた前記情報を送信することと、
前記第２のチャネル中でまたは前記送信フレームの第２のＷＬＡＮシグナリングフィールド中で、前記第１のチャネルがパンクチャされたという前記指示を送信することと、  を行うように構成された、装置。
［Ｃ４２］
ワイヤレス通信のための装置であって、
送信フレームに関連付けられた複数のチャネルのうちの第１のチャネルがパンクチャされたという指示を生成するための手段と、前記送信フレームはワイヤレスローカルエリアネットワーク（ＷＬＡＮ）シグナリングフィールドを含み、
前記パンクチャされた第１のチャネルに対応する前記ＷＬＡＮシグナリングフィールドに関連付けられた情報を識別するための手段と、
前記複数のチャネルのうちの第２のチャネル中で、前記ＷＬＡＮシグナリングフィールドに関連付けられた前記情報を送信するための手段と、
前記第２のチャネル中でまたは前記送信フレームの第２のＷＬＡＮシグナリングフィールド中で、前記第１のチャネルがパンクチャされたという前記指示を送信するための手段と、
を備える、装置。
［Ｃ４３］
前記送信フレームの前記第２のＷＬＡＮシグナリングフィールドは、前記送信フレームに関連付けられた帯域幅と前記複数のチャネル内の前記第２のチャネルのロケーションとの両方を示す帯域幅フィールドを備える、
Ｃ４２に記載の装置。
［Ｃ４４］
前記ＷＬＡＮシグナリングフィールドは、前記第１のチャネルまたは前記第２のチャネルの高効率シグナリングＡ（ＨＥ−ＳＩＧ−Ａ）フィールドを備え、前記第２のＷＬＡＮシグナリングフィールドは、前記第２のチャネルの高効率シグナリングＢ（ＨＥ−ＳＩＧ−Ｂ）フィールドを備える、
Ｃ４２に記載の装置。
［Ｃ４５］
前記パンクチャされた第１のチャネルに少なくとも部分的に基づいて、前記送信フレームについてのリソースユニット（ＲＵ）割振りビットシーケンスを選択するための手段と、
前記パンクチャされた第１のチャネルに対応する前記ＷＬＡＮシグナリングフィールドに関連付けられた前記情報を伝達するために、前記ＲＵ割振りシーケンスを送信するための手段と、
をさらに備える、Ｃ４２に記載の装置。
［Ｃ４６］
前記ＲＵ割振りシーケンスは、前記送信フレームの高効率（ＨＥ）シグナリングＢ（ＨＥ−ＳＩＧ−Ｂ）フィールド中で送信される、Ｃ４５に記載の装置。
［Ｃ４７］
前記第１のチャネルは前記送信フレームの２次２０ＭＨｚチャネルを備え、前記送信フレームは８０ＭＨｚ帯域幅を有する、Ｃ４２に記載の装置。
［Ｃ４８］
前記指示は、４に設定された帯域幅サブフィールドを備える、Ｃ４７に記載の装置。
［Ｃ４９］
前記第１のチャネルは、前記送信フレームの４０ＭＨｚ２次チャネルの２０ＭＨｚサブチャネルを備え、前記送信フレームは８０ＭＨｚ帯域幅を有する、Ｃ４２に記載の装置。
［Ｃ５０］
前記指示は、５に設定された帯域幅サブフィールドを備える、Ｃ４９に記載の装置。
［Ｃ５１］
前記第１のチャネルは前記送信フレームの８０ＭＨｚ１次チャネルの２０ＭＨｚサブチャネルを備え、前記送信フレームは１６０ＭＨｚの累積帯域幅を有する、Ｃ４２に記載の装置。
［Ｃ５２］
前記指示は、６に設定された帯域幅サブフィールドを備える、Ｃ５１に記載の装置。
［Ｃ５３］
前記ＷＬＡＮシグナリングフィールドは高効率シグナリングＡ（ＨＥ−ＳＩＧ−Ａ）フィールドを備え、前記指示は前記ＨＥ−ＳＩＧ−Ａフィールドの帯域幅サブフィールドに関連付けられる、Ｃ５１に記載の装置。
［Ｃ５４］
前記送信フレームに関連付けられた帯域幅を識別するための手段と、
前記帯域幅内の１つまたは複数のコンテンツチャネルについてのロケーションを識別するための手段と、
前記帯域幅と、前記送信フレームの前記帯域幅内の前記１つまたは複数のコンテンツチャネルについての前記ロケーションとの両方を示すＷＬＡＮシグナリングフィールドを含む前記送信フレームを送信するための手段と、
をさらに備える、Ｃ４２に記載の装置。
［Ｃ５５］
ワイヤレス通信のための方法であって、
第１の局において、複数の局によって復号可能なワイヤレスローカルエリアネットワーク（ＷＬＡＮ）シグナリングフィールドを含む送信フレームを受信することと、
前記ＷＬＡＮシグナリングフィールドの局固有部分中で、前記複数の局に関連付けられた複数の局固有情報ブロックのための順序を識別することと、
前記複数の局固有情報ブロックのための前記識別された順序に少なくとも部分的に基づいて、前記第１の局に割り振られた空間ストリームの数を決定することと、
を備える、方法。
［Ｃ５６］
前記局固有部分中で、前記第１の局に関連付けられた識別子を識別することをさらに備え、前記識別された順序は、前記第１の局に関連付けられた前記識別子に少なくとも部分的に基づく、
Ｃ５５に記載の方法。
［Ｃ５７］
前記ＷＬＡＮシグナリングフィールドの共通部分中で、前記複数の局に関連付けられた局の数を識別することと、
前記送信フレームの前記ＷＬＡＮシグナリングフィールドの前記局固有部分中で、前記複数の局に関連付けられた空間ストリームの総数値を識別することと、ここにおいて、前記第１の局に割り振られた空間ストリームの前記決定された数は、空間ストリームの前記総数値に少なくとも部分的に基づく、
をさらに備える、Ｃ５５に記載の方法。
［Ｃ５８］
前記共通部分は前記ＷＬＡＮシグナリングフィールドの共通ブロックフィールドを備える、Ｃ５７に記載の方法。
［Ｃ５９］
局固有部分中で、前記複数の局の少なくとも一部分の各局に割り振られた空間ストリームの前記数と、空間ストリームの総数とを示す空間構成フィールドを識別することをさらに備え、前記第１の局に割り振られた空間ストリームの前記決定された数は、前記空間構成フィールドに少なくとも部分的に基づく、
Ｃ５５に記載の方法。
［Ｃ６０］
空間ストリームの前記総数はマルチユーザ多入力多出力（ＭＵ−ＭＩＭＯ）割振りに関連付けられる、Ｃ５９に記載の方法。
［Ｃ６１］
前記ＷＬＡＮシグナリングフィールドは高効率（ＨＥ）シグナリングＢ（ＨＥ−ＳＩＧ−Ｂ）フィールドを備える、Ｃ５５に記載の方法。
［Ｃ６２］
前記複数の局固有情報ブロックのための前記順序は、前記局固有情報ブロックが前記ＷＬＡＮシグナリングフィールドにポピュレートされる連続順序を備える、Ｃ５５に記載の方法。
［Ｃ６３］
ワイヤレス通信のための方法であって、
送信フレームについての第１の局に割り振られた空間ストリームの数を選択することと、前記送信フレームは、複数の局によって復号可能であるワイヤレスローカルエリアネットワーク（ＷＬＡＮ）シグナリングフィールドを備え、
前記ＷＬＡＮシグナリングフィールドの局固有部分中で、複数の局に関連付けられた複数の局固有情報ブロックのための順序を構成することと、前記複数の局固有情報ブロックのための前記順序は、前記第１の局に割り振られた空間ストリームの前記数に少なくとも部分的に基づき、
前記ＷＬＡＮシグナリングフィールドを備える前記送信フレームを送信することと、  を備える、方法。
［Ｃ６４］
前記局固有部分中で、前記第１の局に関連付けられた識別子を構成することをさらに備え、前記順序は、前記第１の局に関連付けられた前記識別子に少なくとも部分的に基づく、
Ｃ６３に記載の方法。
［Ｃ６５］
前記ＷＬＡＮシグナリングフィールドの共通部分中に、前記複数の局に関連付けられた局の数を構成することと、
前記送信フレームの前記ＷＬＡＮシグナリングフィールドの前記局固有部分中に、前記複数の局に関連付けられた空間ストリームの総数値を構成することと、ここにおいて、前記第１の局に割り振られた空間ストリームの前記数は、空間ストリームの前記総数値に少なくとも部分的に基づく、
をさらに備える、Ｃ６３に記載の方法。
［Ｃ６６］
前記共通部分は前記ＷＬＡＮシグナリングフィールドの共通ブロックフィールドを備える、
Ｃ６５に記載の方法。
［Ｃ６７］
前記局固有部分中に、前記複数の局の少なくとも一部分の各局に割り振られた空間ストリームの前記数と、空間ストリームの総数とを示す空間構成フィールドを構成することをさらに備え、前記第１の局に割り振られた空間ストリームの前記数は、前記空間構成フィールドに少なくとも部分的に基づく、
Ｃ６３に記載の方法。
［Ｃ６８］
空間ストリームの前記総数はマルチユーザ多入力多出力（ＭＵ−ＭＩＭＯ）割振りに関連付けられる、Ｃ６７に記載の方法。
［Ｃ６９］
前記ＷＬＡＮシグナリングフィールドは高効率（ＨＥ）シグナリングＢ（ＨＥ−ＳＩＧ−Ｂ）フィールドを備える、Ｃ６３に記載の方法。
［Ｃ７０］
前記複数の局固有情報ブロックのための前記順序は、前記局固有情報ブロックが前記ＷＬＡＮシグナリングフィールドにポピュレートされる連続順序を備える、Ｃ６３に記載の方法。
［Ｃ７１］
ワイヤレス通信のための装置であって、
複数の局によって復号可能なワイヤレスローカルエリアネットワーク（ＷＬＡＮ）シグナリングフィールドを含む送信フレームを受信するための手段と、
前記ＷＬＡＮシグナリングフィールドの局固有部分中で、前記複数の局に関連付けられた複数の局固有情報ブロックのための順序を識別するための手段と、
前記複数の局固有情報ブロックのための前記識別された順序に少なくとも部分的に基づいて、前記装置に割り振られた空間ストリームの数を決定するための手段と、
を備える、装置。
［Ｃ７２］
前記局固有部分中で、前記装置に関連付けられた識別子を識別するための手段をさらに備え、前記識別された順序は、前記装置に関連付けられた前記識別子に少なくとも部分的に基づく、
Ｃ７１に記載の装置。
［Ｃ７３］
前記ＷＬＡＮシグナリングフィールドの共通部分中で、前記複数の局に関連付けられた局の数を識別するための手段と、
前記送信フレームの前記ＷＬＡＮシグナリングフィールドの前記局固有部分中で、前記複数の局に関連付けられた空間ストリームの総数値を識別するための手段と、ここにおいて、前記装置に割り振られた空間ストリームの前記決定された数は、空間ストリームの前記総数値に少なくとも部分的に基づく、
をさらに備える、Ｃ７１に記載の装置。
［Ｃ７４］
前記共通部分は前記ＷＬＡＮシグナリングフィールドの共通ブロックフィールドを備える、Ｃ７３に記載の装置。
［Ｃ７５］
局固有部分中で、前記複数の局の少なくとも一部分の各局に割り振られた空間ストリームの前記数と、空間ストリームの総数とを示す空間構成フィールドを識別することをさらに備え、前記装置に割り振られた空間ストリームの前記決定された数は、前記空間構成フィールドに少なくとも部分的に基づく、
Ｃ７１に記載の装置。
［Ｃ７６］
空間ストリームの前記総数はマルチユーザ多入力多出力（ＭＵ−ＭＩＭＯ）割振りに関連付けられる、Ｃ７５に記載の装置。
［Ｃ７７］
前記ＷＬＡＮシグナリングフィールドは高効率（ＨＥ）シグナリングＢ（ＨＥ−ＳＩＧ−Ｂ）フィールドを備える、Ｃ７１に記載の装置。
［Ｃ７８］
ワイヤレス通信のための装置であって、
送信フレームについての第１の局に割り振られた空間ストリームの数を選択するための手段と、前記送信フレームは、複数の局によって復号可能であるワイヤレスローカルエリアネットワーク（ＷＬＡＮ）シグナリングフィールドを備え、
前記ＷＬＡＮシグナリングフィールドの局固有部分中で、複数の局に関連付けられた複数の局固有情報ブロックのための順序を構成するための手段と、前記複数の局固有情報ブロックのための前記順序は、前記第１の局に割り振られた空間ストリームの前記数に少なくとも部分的に基づき、
前記ＷＬＡＮシグナリングフィールドを備える前記送信フレームを送信するための手段と、
を備える、装置。
［Ｃ７９］
前記局固有部分中で、前記第１の局に関連付けられた識別子を構成するための手段をさらに備え、前記順序は、前記第１の局に関連付けられた前記識別子に少なくとも部分的に基づく、
Ｃ７８に記載の装置。
［Ｃ８０］
前記ＷＬＡＮシグナリングフィールドの共通部分中に、前記複数の局に関連付けられた局の数を構成するための手段と、
前記送信フレームの前記ＷＬＡＮシグナリングフィールドの前記局固有部分中に、前記複数の局に関連付けられた空間ストリームの総数値を構成するための手段と、ここにおいて、前記第１の局に割り振られた空間ストリームの前記数は、空間ストリームの前記総数値に少なくとも部分的に基づく、
をさらに備える、Ｃ７８に記載の方法。
［Ｃ８１］
前記共通部分は前記ＷＬＡＮシグナリングフィールドの共通ブロックフィールドを備える、Ｃ８０に記載の装置。
［Ｃ８２］
前記局固有部分中に、前記複数の局の少なくとも一部分の各局に割り振られた空間ストリームの前記数と、空間ストリームの総数とを示す空間構成フィールドを構成するための手段をさらに備え、前記第１の局に割り振られた空間ストリームの前記数は、前記空間構成フィールドに少なくとも部分的に基づく、
Ｃ７８に記載の装置。
［Ｃ８３］
空間ストリームの前記総数はマルチユーザ多入力多出力（ＭＵ−ＭＩＭＯ）割振りに関連付けられる、Ｃ８２に記載の装置。
［Ｃ８４］
前記ＷＬＡＮシグナリングフィールドは高効率（ＨＥ）シグナリングＢ（ＨＥ−ＳＩＧ−Ｂ）フィールドを備える、Ｃ７８に記載の装置。
［Ｃ８５］
ワイヤレス通信のためのコードを記憶する非一時的コンピュータ可読媒体であって、前記コードは、
送信フレームに関連付けられた複数のチャネルのうちの第１のチャネルがパンクチャされたという指示を生成することと、前記送信フレームはワイヤレスローカルエリアネットワーク（ＷＬＡＮ）シグナリングフィールドを含み、
前記パンクチャされた第１のチャネルに対応する前記ＷＬＡＮシグナリングフィールドに関連付けられた情報を識別することと、
前記複数のチャネルのうちの第２のチャネル中で、前記ＷＬＡＮシグナリングフィールドに関連付けられた前記情報を送信することと、
前記第２のチャネル中でまたは前記送信フレームの第２のＷＬＡＮシグナリングフィールド中で、前記第１のチャネルがパンクチャされたという前記指示を送信することと、
を行うためにプロセッサによって実行可能な命令を備える、非一時的コンピュータ可読媒体。